(57)【要約】【課題】押下スイッチが配設された基板を備える遊技機にあって、押下スイッチの手前側に他の部材を配設した場合でも、押下スイッチを容易に操作可能な構成を提供する。【解決手段】押下スイッチ３３の実装面側がカバー体３１で覆われた基板３２ｃに対して、押下スイッチ３３の手前側に、カバー体３１を覆うように他の部材２３を配設する。そして、カバー体３１と他の部材２３の間に形成される空隙６３のカバー体３１側に、押下スイッチ３３の方向に延出して、先端部５２を押下スイッチ３３の手前側に近接配置させる操作補助部４８を配設し、操作補助部４８の先端部５２以外の部位を押下した場合でも、操作補助部４８で押下スイッチ３３の操作部を間接的に押下し得るよう構成する。【選択図】図１３
2019126363.tif 000002
【特許請求の範囲】
【請求項１】
基板と、該基板の少なくとも一面側を覆うカバー体とを備える遊技機において、
前記基板の前記一面側には、前記基板の板面方向に押下可能な操作部を有する押下スイッチが配置されており、
前記押下スイッチの手前側には、前記カバー体の少なくとも一部を覆うように、他の部材が配設されて、前記カバー体と前記他の部材との間に空隙が形成されており、
前記空隙は、少なくとも、前記他の部材の一側縁と前記カバー体との間に形成される特定開口部を介して空隙の外部と連通しており、
前記空隙の前記カバー体側には、前記特定開口部側から前記押下スイッチの方向に延出して、先端部を前記押下スイッチの手前側に近接配置させる操作補助部が配設されており、
前記操作補助部は、前記押下スイッチの押下方向に押下可能であり、前記操作補助部の先端部以外の部位を押下した場合でも、前記操作補助部で前記押下スイッチの操作部を間接的に押下し得るよう構成されていることを特徴とする遊技機。
【請求項２】
前記操作補助部は、前記カバー体と一体成形されたものであることを特徴とする請求項１に記載の遊技機。
【請求項３】
前記カバー体の、前記基板の前記一面側を覆う部分に、折返し状の溝孔が形成されており、前記操作補助部は、前記溝孔によって先端及び両側を囲繞された舌片であることを特徴とする請求項２に記載の遊技機。
【請求項４】
前記空隙は、少なくとも、前記押下スイッチの周辺部から前記特定開口部に亘って形成され、前記空隙内で、前記操作補助部の先端部を押下し得るよう構成されており、
前記操作補助部の先端部には、該操作補助部の押下方向と逆方向に隆起する膨隆部が形成されていることを特徴とする請求項１乃至請求項３のいずれか１項に記載の遊技機。
【請求項５】
前記操作補助部の膨隆部は、前記操作補助部の基端方向に向かって低くなるよう傾斜する傾斜面を備えることを特徴とする請求項４に記載の遊技機。
【発明の詳細な説明】
【技術分野】
【０００１】
本発明は、押下スイッチが配設された基板を具備する遊技機に関する。
【背景技術】
【０００２】
スロットマシン等の遊技機には、一般的に、液晶表示ユニット等からなる画像表示器が前扉に配設され、前扉の背面側に画像表示器を制御するための画像制御装置が配設される（例えば、特許文献１）。ここで、図１４に示すように、従来のスロットマシン１ａの画像制御装置２２ａを構成する基板３２ｃには、タクタイルスイッチ等からなる押下スイッチ３３が基板に配設されており、当該基板３２ｃを覆うカバー体３１ａには、押下スイッチ３３を覆う部位に、押下操作用の開口孔３５が形成されている。かかる押下スイッチ３３は、画像制御装置２２ａをリセットするためのものであり、稼働中に画像制御装置２２ａに不具合が生じた時に、遊技場のスタッフが前扉３を開放して、指や棒状物（ペンなど）の先端で押下スイッチ３３を押下することで、不具合を解消し得るよう構成されている。
【先行技術文献】
【特許文献】
【０００３】
【特許文献１】特開２０１７−０００３６０号公報（図１，２）
【発明の概要】
【発明が解決しようとする課題】
【０００４】
ところで、従来のスロットマシン１ａでは、図１４に示すように、画像制御装置２２ａの押下スイッチ３３の手前側に他の部材が配設されていない。これは、従来構成では、押下スイッチ３３の手前側に他の部材を配設すると、押下スイッチ３３の操作性が大幅に低下してしまうためである。このように、押下スイッチ３３が配設された基板３２ｃを備える従来構成では、押下スイッチ３３の操作性を確保するために、押下スイッチ３３の手前側以外の位置に他の部材を配置しなくてはならず、部品のレイアウトの自由度が制限されている。
【０００５】
本発明は係る現状に鑑みて為されたものであり、押下スイッチが配設された基板を備える遊技機にあって、押下スイッチの手前側に他の部材が配設されていても、押下スイッチを容易に操作可能な構成の提供を目的とする。
【課題を解決するための手段】
【０００６】
本発明は、基板と、該基板の少なくとも一面側を覆うカバー体とを備える遊技機において、前記基板の前記一面側には、前記基板の板面方向に押下可能な操作部を有する押下スイッチが配置されており、前記押下スイッチの手前側には、前記カバー体の少なくとも一部を覆うように、他の部材が配設されて、前記カバー体と前記他の部材との間に空隙が形成されており、前記空隙は、少なくとも、前記他の部材の一側縁と前記カバー体との間に形成される特定開口部を介して空隙の外部と連通しており、前記空隙の前記カバー体側には、前記特定開口部側から前記押下スイッチの方向に延出して、先端部を前記押下スイッチの手前側に近接配置させる操作補助部が配設されており、前記操作補助部は、前記押下スイッチの押下方向に押下可能であり、前記操作補助部の先端部以外の部位を押下した場合でも、前記操作補助部で前記押下スイッチの操作部を間接的に押下し得るよう構成されていることを特徴とする遊技機である。
【０００７】
ここで、「基板の板面方向に押下」とは、基板の板面に向かう方向、すなわち、基板の板面と略直交する方向に押下することを指す。また、「押下スイッチの手前側」とは、押下スイッチの操作部の押下方向とは逆方向を指す。かかる構成にあっては、押下スイッチよりも特定開口部側で操作補助部を押下することで、押下スイッチを間接的に押下できるため、押下スイッチの手前側が他の部材で覆われていても、押下スイッチの操作性低下を抑えることができる。したがって、かかる構成によれば、押下スイッチの操作性を確保しつつ、部品のレイアウトの自由度を従来構成に比べて高めることが可能となる。
【０００８】
本発明にあっては、前記操作補助部は、前記カバー体と一体成形されたものであることが提案される。かかる構成によれば、部品点数を増加させることなく操作補助部を配設できるため、本発明を低廉に実現できる。
【０００９】
また、上記構成とする場合には、前記カバー体の、前記基板の前記一面側を覆う部分に、折返し状の溝孔が形成されており、前記操作補助部は、前記溝孔によって先端及び両側を囲繞された舌片である構成が提案される。
【００１０】
かかる構成にあっては、カバー体の、基板を覆う部分に形成した舌片が、操作補助部材として機能するため、カバー体の構成材料を増加させることなく、操作補助部材を低廉に配設できる。
【００１１】
また、本発明にあって、前記空隙は、少なくとも、前記押下スイッチの周辺部から前記特定開口部に亘って形成され、前記空隙内で、前記操作補助部の先端部を押下し得るよう構成されており、前記操作補助部の先端部には、該操作補助部の押下方向と逆方向に隆起する膨隆部が形成されている構成が提案される。
【００１２】
かかる構成にあっては、操作補助部の先端部を押下する際に、特定開口部から操作補助部に沿って進入させた指や棒状物が先端部の膨隆部に突き当たるため、操作補助部の先端部の位置を目視しなくても、手応えで確認できる。また、かかる構成では、空隙に挿入した指や棒状物を膨隆部に押し当てることで、操作補助部の先端部を押下する方向に力を加え易くなる。
【００１３】
また、上記構成とする場合には、前記操作補助部の膨隆部は、前記操作補助部の基端方向に向かって低くなるよう傾斜する傾斜面を備える構成が提案される。
【００１４】
かかる構成にあっては、特定開口部から操作補助部に沿って進入させた指や棒状物を膨隆部の傾斜面に突き当てると、当該傾斜面の案内作用によって、操作補助部の先端部が押下方向に変位することとなる。このように、かかる構成とすれば、膨隆部の傾斜面を操作補助部の先端方向に押圧することによっても操作補助部を押下可能となるため、指や棒状物を、特定開口部から操作補助部の先端方向に直線的に動かすだけで操作補助部を押下可能となる。特に、棒状物は、長手方向に突くように押圧するのに適しているため、かかる構成のように、傾斜面の突き上げによって操作補助部を押下できるようにすれば、棒状物による操作補助部の押下が一層容易となる。
【図面の簡単な説明】
【００１５】
【図１】実施例のスロットマシン１の斜視図である。
【図２】前扉３を開放した状態のスロットマシン１の斜視図である。
【図３】表示器組付体１２の斜視図である。
【図４】表示器組付体１２の分解斜視図である。
【図５】画像制御装置本体３０の背面側の斜視図である。
【図６】カバー体３１の背面図である。
【図７】操作補助部４８の周辺部を拡大して示す、カバー体３１の背面側の拡大斜視図である。
【図８】操作補助部４８の周辺部を拡大して示す、カバー体３１の正面側の拡大斜視図である。
【図９】押下スイッチ３３と操作補助部４８の配置を示す説明図である。
【図１０】（ａ）通常状態の操作補助部４８と、（ｂ）押下した状態の操作補助部４８とを示す説明図である。
【図１１】表示器組付体１２を下方から見た斜視図である。
【図１２】操作補助部４８の押下方法を背面側から示す説明図である。
【図１３】操作補助部４８の押下方法を側方から示す説明図である。
【図１４】前扉３を開放した状態の、従来のスロットマシン１ａの斜視図である。
【発明を実施するための形態】
【００１６】
以下に、本発明の実施形態を、本発明をスロットマシンに適用した実施例によって説明する。
なお、下記実施例にあって、本発明に係る基板は映像出力基板３２ｃに相当し、本発明に係る他の部材はサブ接続基板２３に相当する。また、本発明に係る押下スイッチの押下方向は前扉３の正面方向に相当し、押下スイッチの手前側は前扉３の背面側に相当する。また、本発明に係る特定開口部は、サブ接続基板２３の下側縁とカバー体３１の間に形成された下部開口部６４ａに相当する。また、本発明に係る溝孔はＵ字溝孔５０に相当し、本発明に係る傾斜面は、案内傾斜面５７に相当する。
【００１７】
図１は、本実施例のスロットマシン１の斜視図である。かかるスロットマシン１の遊技機本体は、前面が開放された筐体２と、該筐体２の前面全体を覆う開閉可能な前扉３とによって構成される。前扉３の前面側には、遊技操作に用いるベットスイッチ５、スタートスイッチ６、ストップスイッチ７等の各種スイッチが配設される。前扉３の前面中央部には、筐体２の内部に配設されたリール９を視認可能とする透明な表示窓４が形成されている。また、前扉３の上部には、液晶表示ユニットからなる画像表示器１０が配設される。
【００１８】
図２に示すように、筐体２の内部には、リール９の上方に、メイン制御装置２０やサブ制御装置２１がケースに収納された状態で設置され、また、リール９の下方には、電源ボックス１８やホッパーユニット１９が配設される。また、前扉３の上部背面側には、画像表示器１０の背面側に、画像表示器１０を制御する画像制御装置２２が配設され、さらに、画像制御装置２２の背面側に、サブ接続基板２３が配設される。図２〜４に示すように、画像表示器１０、画像制御装置２２、及びサブ接続基板２３は、一体的に組み付けられて表示器組付体１２を構成し、表示器組付体１２として、前扉３の背面側に装着される。なお、図２及び以降の図面では、各基板に接続されるワイヤハーネスの図示を省略している。また、以下の説明では、前扉３の正面側を、表示器組付体１２を構成する各部品の正面側とし、前扉３の背面側を、表示器組付体１２を構成する各部品の背面側として説明する。
【００１９】
図４に示すように、画像表示器１０は、前扉３に螺着される樹脂製の液晶ベース板２６と、液晶ベース板２６の正面側に装着される液晶パネル２５と、液晶ベース板２６の背面側に装着される液晶接続基板２７とを備えてなる。
【００２０】
画像制御装置２２は、３枚の基板３２ａ，３２ｂ，３２ｃからなる画像制御装置本体３０と、樹脂製の透明なカバー体３１とで構成される。画像制御装置本体３０は、液晶ベース板２６の背面側に螺着され、液晶接続基板２７を介して液晶パネル２５と接続される。カバー体３１は、画像制御装置本体３０と液晶接続基板２７を背面側から覆うように、液晶ベース板２６の背面側に螺着される。
【００２１】
図５に示すように、画像制御装置本体３０は、ＣＰＵやＲＡＭが配設された本体基板３２ａの背面側に、ＲＯＭ基板３２ｂと映像出力基板３２ｃを配設してなるものである。ＲＯＭ基板３２ｂには、プログラムや画像データを記憶したＲＯＭ３４が配設される。また、映像出力基板３２ｃの背面側には、画像表示器１０の表示画像を外部出力するための映像出力用コネクタ３６と、映像信号出力用ＩＣ３７が配設される。そして、映像出力基板３２ｃの背面側上部に、本発明に係る押下スイッチ３３が配設される。押下スイッチ３３は、一般的なタクタイルスイッチにより構成されるものである。すなわち、押下スイッチ３３は、映像出力基板３２ｃの板面方向（正面方向）に押下可能な操作部（プランジャ）３３ａと、操作部３３ａを保持するスイッチケース３３ｂと、映像出力基板３２ｃに接続される端子３３ｃと、操作部３３ａの押下に伴いスイッチケース３３ｂの内部で相互に接触する固定接点及び可動接点（図示省略）とを備えてなる。かかる押下スイッチ３３は、画像制御装置本体３０のリセット用スイッチであり、押下スイッチ３３の操作部３３ａを手前側（背面側）から押下すると、画像制御装置本体３０のＣＰＵがリセットされるよう構成されている。
【００２２】
カバー体３１は、透明樹脂の一体成形品である。図４，６に示すように、カバー体３１は、正面側が開放した箱形形状をなしており、液晶接続基板２７及び画像制御装置本体３０の背面側を覆う横長矩形状の背板部３８と、背板部３８の上下左右の側縁から正面側に延出する側板部３９とを具備してなる。また、カバー体３１の上部には、表示器組付体１２を把持するためのハンドル４２が配設される。カバー体３１の背板部３８には、様々な凹凸形状や溝孔が形成される。具体的には、背板部３８には、内部の熱を逃がすための放熱用溝孔４０が多数形成され、また、液晶接続基板２７及び画像制御装置本体３０のコネクタを露出させるコネクタ用開口部４３が各所に形成される。また、背板部３８の外周部には、液晶ベース板２６に螺着するためのネジ孔４１が形成される。また、背板部３８の片側上部には、給気ファン（図示省略）を正面側から収容するためのファン装着部４４が背面側に膨出している。また、背板部３８の中央部には、サブ接続基板２３を係着するための係着突部４５が背面側に突成され、さらに、係着突部４５に係着したサブ接続基板２３を螺着するためのボス部４６が背面側に突成される。そして、背板部３８の中央部には、押下スイッチ３３を間接的に操作するための操作補助部４８が配設され、操作補助部４８の下方には、「ＲＥＳＥＴ」の文字と矢印とからなる補助部指示部４９が、背板部３８の凹凸形状により形成される。なお、補助部指示部４９の矢印は、操作補助部４８の方向（上方）を指し示している。
【００２３】
図６〜８に示すように、操作補助部４８は、カバー体３１の背板部３８に形成された舌片である。具体的には、操作補助部４８は、背板部３８の、映像出力基板３２ｃを覆う部分に、上端がＵ字状に折り返されたＵ字溝孔５０を切欠状に形成することにより形成される。すなわち、操作補助部４８は、背板部３８の、Ｕ字溝孔５０によって上端と両側を囲繞されて、下端（基端）から上方に延出する背板部３８の舌片状部分である。かかる操作補助部４８は、基端を支点として正面方向に撓み得る厚みで形成されており、背面側を押圧することで正面方向に押下可能となっている。
【００２４】
図９に示すように、操作補助部４８の先端部５２は、押下スイッチ３３の操作部３３ａの背面側に近接配置される。具体的には、操作補助部４８の先端部５２には、正面側に突出する押圧突部５３が形成されており、操作補助部４８に外力が加わっていない通常状態では、図１０（ａ）に示すように、押圧突部５３が、押下スイッチ３３の操作部３３ａの背面側に微間隙を挟んで近接している。このため、本実施例では、図１０（ｂ）に示すように、操作補助部４８を背面側から押下して正面方向に撓ませれば、先端部５２の押圧突部５３で押下スイッチ３３の操作部３３ａを間接的に押下することができる。ここで、操作補助部４８は、基端を支点として正面方向に撓み得るよう形成されたものであるため、先端部５２よりも基端側部位を押下した場合でも、押下スイッチ３３の操作部３３ａを先端部５２で押下することができる。
【００２５】
また、図７，９，１０に示すように、操作補助部４８の外周部には、背面側に膨隆する案内リブ５５が形成される。かかる案内リブ５５は、操作補助部４８の先端部５２でＵ字状に折り返されて、操作補助部４８の両側縁の全長に亘って形成され、さらに、操作補助部４８の基端（下端）よりも下方に延出している。また、案内リブ５５は、操作補助部４８の先端部５２において他の部分よりも高く膨隆することにより、背面側に隆起する膨隆部５６を先端部５２に形成している。かかる膨隆部５６は、操作補助部４８の先端ほど背面側に高く膨隆しており、膨隆部５６には、案内リブ５５の頂部によって、操作補助部４８の基端（下端）方向に向かって低くなるよう傾斜する案内傾斜面５７が形成される。
【００２６】
また、図７に示すように、背板部３８は、Ｕ字溝孔５０の外側で、Ｕ字溝孔５０の内側の操作補助部４８よりも背面側に膨出している。このため、操作補助部４８は、背面視において、背板部３８の窪んだ部位に形成される。
【００２７】
サブ接続基板２３は、サブ制御装置２１と画像制御装置２２との間の信号を中継する中継基板である。図４に示すように、サブ接続基板２３は、透明樹脂からなるサブ接続基板ケース２３ｂに、サブ接続基板本体２３ａを収容してなるものである。サブ接続基板２３の側縁には、カバー体３１の係着突部４５と係合させるための係合鍔部７０が形成され、また、サブ接続基板２３の中央上部には、サブ接続基板２３をカバー体３１のボス部４６に螺着するためのネジ孔７１が貫設される。
【００２８】
図３に示すように、サブ接続基板２３は、両側部の係合鍔部７０をカバー体３１の係着突部４５の先端部と係合した状態で、カバー体３１のボス部４６の頂部に螺着される。図６に示すように、サブ接続基板２３は、カバー体３１の中央部を背面側から覆うようにカバー体３１に装着される。このため、カバー体３１の背板部３８は、サブ接続基板２３によって背面側から視認困難となる中央部の遮蔽部６０と、サブ接続基板２３に覆われず、背面側に露出する外周部の露出部６１とに二分される。なお、上述した操作補助部４８は、遮蔽部６０に含まれるため、背面側からは視認困難となる。ここで、図３，１１に示すように、サブ接続基板２３は、背面側に突出する係着突部４５の先端部に係着されるため、カバー体３１とサブ接続基板２３との間には空隙６３が形成される。そして、かかる空隙６３は、サブ接続基板２３の外周縁とカバー体３１との間に形成される開口部６４ａ〜６４ｄを介して空隙６３の外部空間と連通している。
【００２９】
このように、本実施例では、押下スイッチ３３を覆うカバー体３１をさらに覆うようにサブ接続基板２３が配設されるため、押下スイッチ３３は背面側から視認困難となっている。しかしながら、本実施例では、カバー体３１とサブ接続基板２３との間の空隙６３の内部で操作補助部４８を押下することにより、押下スイッチ３３を容易に操作できる。具体的には、図１１に示すように、サブ接続基板２３の下側縁とカバー体３１との間には、下部開口部６４ａが形成されており、空隙６３は、下部開口部６４ａから押下スイッチ３３の周辺部に亘って幅広に形成されている。このため、本実施例では、図１２，１３に示すように、下部開口部６４ａから指を空隙６３に挿入して、空隙６３の内部でカバー体３１側に配設された操作補助部４８を指先で押下可能となっている。もちろん、指でなく、ペンやドライバー等の棒状物でも同様にして操作補助部４８を押下することができる。
【００３０】
ここで、本実施例では、操作補助部４８は、図１２，１３に示すように、押下スイッチ３３よりも下部開口部６４ａの側に基端が位置しており、下部開口部６４ａ側の基端から上方に延出して、先端部５２を押下スイッチ３３の背面側に近接させている。また、空隙６３の内部では、操作補助部４８の先端部５２だけでなく、操作補助部４８の基端側部位も押下可能となっている。かかる構成によれば、押下スイッチ３３よりも下部開口部６４ａの近くで操作補助部４８を押下することで、押下スイッチ３３を間接的に操作できるため、押下スイッチ３３を操作するために、下部開口部６４ａから押下スイッチ３３の周辺部にまで指等を挿入する手間が不要となる。したがって、本実施例にあっては、押下スイッチ３３の背面側がサブ接続基板２３で覆われていても、押下スイッチ３３を容易に操作できる。
【００３１】
また、本実施例では、操作補助部４８よりも下部開口部６４ａの側に補助部指示部４９が形成される。かかる構成によれば、補助部指示部４９を視認することで、サブ接続基板２３に覆われた操作補助部４８の位置を、遊技場のスタッフ等が容易に把握できるという利点がある。
【００３２】
また、本実施例では、操作補助部４８の背面側に形成される案内リブ５５が、操作補助部４８の基端から下方に延出している。かかる構成によれば、下部開口部６４ａに挿入した指先を、案内リブ５５に沿って進入させれば、サブ接続基板２３に覆われた操作補助部４８の基端に容易に到達することができる。また、案内リブ５５は、操作補助部４８の全長に亘って形成されているため、操作補助部４８の基端に到達した指先を、案内リブ５５に沿って引き続き進入させれば、操作補助部４８の先端部５２に容易に到達することができる。
【００３３】
また、本実施例では、背板部３８が、Ｕ字溝孔５０の外側で、Ｕ字溝孔５０の内側の操作補助部４８よりも背面側に膨出しており、操作補助部４８は、背板部３８の背面側の窪んだ部位に形成されるため、当該窪みを手掛かりとすることで、サブ接続基板２３に覆われた操作補助部４８の位置を容易に特定できる。
【００３４】
また、本実施例では、操作補助部４８の先端部５２には、背面側に隆起する膨隆部５６が形成されている。かかる構成によれば、下部開口部６４ａから挿入した指等を、操作補助部４８の先端部５２まで進入させると、かかる膨隆部５６に当接することとなるため、膨隆部５６に当接した時の手応えによって、サブ接続基板２３に覆われた操作補助部４８の先端部５２の位置を正確に把握できる。また、かかる構成では、図１０（ｂ）の二点鎖線で示すように、指等を膨隆部５６に押し当てれば、指や棒状物の先端が操作補助部４８の先端部５２で安定に支持されるため、操作補助部４８を押下する方向に力を加え易くなる。
【００３５】
また、本実施例では、膨隆部５６には、操作補助部４８の基端方向に向かって低くなるよう傾斜する案内傾斜面５７が形成される。かかる構成によれば、図１０（ｂ）の二点鎖線で示すように、下方から挿入した指等で膨隆部５６の案内傾斜面５７を上方に押し上げると、案内傾斜面５７の案内作用によって、操作補助部４８の先端部５２が正面側に変位するため、指や棒状物で操作補助部４８を正面側に押圧しなくても、指や棒状物を挿入方向（上方）に直線的に動かすだけで操作補助部４８を押下可能となる。特に、棒状物は、長手方向に突くように押圧するのに適しているため、かかる構成のように、案内傾斜面５７を突き上げることによって操作補助部４８を押下できるようにすれば、棒状物による操作補助部４８の押下が一層容易となる。
【００３６】
このように、本実施例では、押下スイッチ３３の背面側にサブ接続基板２３が配設されていても、押下スイッチ３３を容易に操作できるため、押下スイッチ３３の操作性を損なうことなく、従来構成に比べて、画像制御装置２２の背面側スペースを活用できるという利点がある。
【００３７】
また、本実施例の操作補助部４８は、背板部３８に形成される舌片であり、カバー体３１と一体であるため、従来構成に比べて部品点数を増加させずに操作補助部４８を配設できるという利点がある。特に、操作補助部４８は、背板部３８にＵ字溝孔５０を切欠状に形成することによって配設されたものであるため、カバー体３１の構成材料を増加させることなく、低廉に配設できるという利点がある。
【００３８】
以上に本発明の実施例を説明したが、本発明の遊技機は、上記実施例の形態に限らず本発明の要旨を逸脱しない範囲内において種々変更を加えることができる。例えば、上記実施例は、本発明をスロットマシンに適用したものであるが、本発明はパチンコ機等の遊技機にも適用可能である。
【００３９】
また、上記実施例では、画像制御装置２２を構成する映像出力基板３２ｃが本発明に係る「基板」に相当するが、本発明は、同様の押下スイッチを具備する他の基板にも適用可能である。なお、本発明に係る押下スイッチの押下方向は、本発明を適用する基板に応じて適宜変更され得るものである。
【００４０】
また、上記実施例では、サブ接続基板２３が本発明に係る「他の部材」に相当するが、本発明に係る「他の部材」の種類は特に限定されず。サブ接続基板以外の基板であってもよいし、基板以外の部材であってもよい。また、本発明に係る「他の部材」は、カバー体３１の全体を覆うものであってもよいし、カバー体３１の外側にはみ出すものであってもよい。また、本発明に係る「他の部材」は、カバー体３１以外の部材に装着されるものであってもよい。
【００４１】
また、上記実施例では、空隙６３の外周部に形成される開口部６４ａ〜６４ｄの中で、空隙６３の下部に開口する下部開口部６４ａが本発明に係る特定開口部に相当するが、空隙に対する特定開口部の位置は、基板上の押下スイッチの配設位置や、他の部材の配設位置等に応じて適宜変更され得るものである。
【００４２】
また、本発明に係る操作補助部４８は、少なくとも先端部５２以外の部分で押下可能であればよく、カバー体３１とサブ接続基板２３の間の空隙６３は、指や棒状物を操作補助部４８の先端部５２まで挿入可能な形状でなくてもよい。
【００４３】
また、上記実施例では、操作補助部４８はカバー体３１に一体成形されているが、本発明に係る操作補助部は、カバー体とは別に成形されて、カバー体に移動可能に保持されるものであってもよい。
【００４４】
また、上記実施例では、操作補助部４８の基端が空隙６３の内部に配置されているが、操作補助部４８の基端が、下部開口部６４ａから露出部６１に突き出る構成としてもよい。かかる構成とした場合には、操作補助部４８の、露出部６１に突き出た部分を押下することにより、押下スイッチ３３を間接的に操作可能となるため、押下スイッチ３３を操作するために空隙６３に指等を挿入する手間が不要となる。
【００４５】
また、操作補助部４８に形成される案内リブ５５を、上記実施例よりも下方に延出させて、下部開口部６４ａから露出部６１に突き出るような構成としてもよい。かかる構成とした場合には、案内リブ５５の下端を背面側から視認可能となるため、サブ接続基板２３に覆われた操作補助部４８の位置の特定が一層容易となる。
【符号の説明】
【００４６】
１，１ａ  スロットマシン（遊技機）
３  前扉
１０  画像表示器
１２  表示器組付体
２２，２２ａ  画像制御装置
２３  サブ接続基板（他の部材）
３０  画像制御装置本体
３１，３１ａ  カバー体
３２ｃ  映像出力基板（基板）
３３  押下スイッチ
３３ａ  操作部
３８  背板部
４８  操作補助部
４９  補助部指示部
５０  Ｕ字溝孔（溝孔）
５２  先端部
５３  押圧突部
５５  案内リブ
５６  膨隆部
５７  案内傾斜面（傾斜面）
６０  遮蔽部
６１  露出部
６３  空隙
６４ａ  下部開口部（特定開口部）
【図１】
2019126363.tif 000003
【図２】
2019126363.tif 000004
【図３】
2019126363.tif 000005
【図４】
2019126363.tif 000006
【図５】
2019126363.tif 000007
【図６】
2019126363.tif 000008
【図７】
2019126363.tif 000009
【図８】
2019126363.tif 000010
【図９】
2019126363.tif 000011
【図１０】
2019126363.tif 000012
【図１１】
2019126363.tif 000013
【図１２】
2019126363.tif 000014
【図１３】
2019126363.tif 000015
【図１４】
2019126363.tif 000016